(57)【要約】【課題】ＩＣタグを内蔵した鍵を使用しながらも、高度な暗号機能を有することなく防犯対策を強化できる、錠システム，施錠及び開錠方法，並びに錠装置を提供する。【解決手段】鍵１は、鍵値を記憶するとともに、当該鍵１と第１錠２との係合によって閉回路が形成されたときに読み取り又は書き換えが可能となるＩＣタグ１１を備えており、第１錠２は、当該第１錠２が開錠状態にあり、かつ、鍵１が第１錠２と係合した状態で施錠位置にある場合に、新たな鍵値を生成して記憶するとともに第１錠２を施錠状態とする手段と、生成した鍵値をＩＣタグ１１に書き込む手段と、当該第１錠２が施錠状態にあり、かつ、鍵１が第１錠２と係合した状態で開錠位置にある場合に、ＩＣタグ１１に記憶される鍵値を読み取る手段と、読み取った鍵値と記憶した鍵値とを比較し、一致する場合に、当該第１錠２を開錠状態とする手段と、を有することとした。【選択図】図４
2011021383.tif 000002
【特許請求の範囲】
【請求項１】
鍵と、前記鍵によって施錠又は開錠可能に構成される第１錠とを備え、
前記鍵は、
鍵値を記憶するとともに、前記鍵と前記第１錠との係合によって閉回路が形成されたときに読み取り又は書き換えが可能となるＩＣタグを備えており、
前記第１錠は、
前記第１錠が開錠状態にあり、かつ、前記鍵が前記第１錠と係合した状態で施錠位置にある場合に、新たな鍵値を生成して記憶するとともに、前記第１錠を施錠状態とする第１錠施錠手段と、
前記生成した鍵値を前記ＩＣタグに書き込むＩＣタグ書込手段と、
前記第１錠が施錠状態にあり、かつ、前記鍵が前記第１錠と係合した状態で開錠位置にある場合に、前記ＩＣタグに記憶される鍵値を読み取るＩＣタグ読取手段と、
前記ＩＣタグ読取手段が読み取った鍵値と前記記憶した鍵値とを比較し、一致する場合に、前記第１錠を開錠状態とする第１錠開錠手段と、を備えることを特徴とする錠システム。
【請求項２】
前記鍵によって施錠又は開錠可能に構成される第２錠を備え、
前記ＩＣタグは、
前記鍵と前記第２錠との係合によって閉回路が形成されたときに読み取り又は書き換えが可能となる構成であり、
前記第２錠は、
前記第２錠が施錠状態にあり、かつ前記鍵が前記第２錠と係合した状態で開錠位置にある場合に、前記ＩＣタグに記憶される鍵値を読み取るＩＣタグ読取手段と、
前記第１錠に記憶される鍵値を読み取る錠読取手段と、
前記ＩＣタグ読取手段が読み取った鍵値と前記錠読取手段が読み取った鍵値とを比較し、一致する場合に、前記第２錠を開錠状態とする第２錠開錠手段と、を有する請求項１に記載の錠システム。
【請求項３】
鍵と前記鍵によって施錠又は開錠可能に構成される第１錠とを備える錠システムの施錠及び開錠方法であって、
前記第１錠が開錠状態にあり、かつ、前記鍵が前記第１錠と係合した状態で施錠位置にある場合に、新たな鍵値を生成して前記第１錠に記憶するとともに前記第１錠を施錠状態とする第１錠施錠ステップと、
前記鍵が備えるＩＣタグであって、前記鍵と前記第１錠との係合によって閉回路が形成されたときに読み取り又は書き換えが可能となるＩＣタグに、前記生成した鍵値を書き込むＩＣタグ書込ステップと、
前記第１錠が施錠状態にあり、かつ、前記鍵が前記第１錠と係合した状態で開錠位置にある場合に、前記ＩＣタグに記憶される鍵値を読み取るＩＣタグ読取ステップと、
前記ＩＣタグ読取ステップで読み取った鍵値と前記記憶した鍵値とを比較し、一致する場合に、前記第１錠を開錠状態とする第１錠開錠ステップと、を有する施錠及び開錠方法。
【請求項４】
前記ＩＣタグは、前記鍵と、前記鍵によって施錠又は開錠可能に構成される第２錠との係合によって閉回路が形成されたときに、読み取り又は書き換えが可能となる構成であり、
前記方法は、
前記第２錠が施錠状態にあり、かつ前記鍵が前記第２錠と係合した状態で開錠位置にある場合に、前記ＩＣタグに記憶される鍵値を読み取るＩＣタグ読取ステップと、
前記第１錠に記憶される鍵値を読み取る錠読取ステップと、
前記ＩＣタグから読み取った鍵値と前記第１錠から読み取った鍵値とを比較し、一致する場合に、前記第２錠を開錠状態とする第２錠開錠ステップと、を有する請求項３に記載の施錠及び開錠方法。
【請求項５】
鍵値を記憶するとともに、鍵によって施錠又は開錠可能に構成される第１錠を備え、
前記第１錠は、
前記第１錠が開錠状態にあり、かつ、前記鍵が前記第１錠と係合した状態で施錠位置にある場合に、新たな鍵値を生成して記憶するとともに、前記第１錠を施錠状態とする第１錠施錠手段と、
前記鍵が備えるＩＣタグであって、前記鍵と前記第１錠との係合によって閉回路が形成されたときに読み取り又は書き換えが可能となるＩＣタグに、前記生成した鍵値を書き込むＩＣタグ書込手段と、
前記第１錠が施錠状態にあり、かつ、前記鍵が前記第１錠と係合した状態で開錠位置にある場合に、前記ＩＣタグに記憶される鍵値を読み取るＩＣタグ読取手段と、
前記ＩＣタグ読取手段が読み取った鍵値と前記記憶した鍵値とを比較し、一致する場合に、前記第１錠を開錠状態とする第１錠開錠手段と、を備えることを特徴とする錠装置。
【請求項６】
前記鍵によって施錠又は開錠可能に構成される第２錠を備え、
前記ＩＣタグは、
前記鍵と前記第２錠との係合によって閉回路が形成されたときに読み取り又は書き換えが可能となる構成であり、
前記第２錠は、
前記第２錠が施錠状態にあり、かつ前記鍵が前記第２錠と係合した状態で開錠位置にある場合に、
前記ＩＣタグに記憶される鍵値を読み取るＩＣタグ読取手段と、
前記第１錠に記憶される鍵値を読み取る錠読取手段と、
前記ＩＣタグ読取手段が読み取った鍵値と前記錠読取手段が読み取った鍵値とを比較し、一致する場合に、前記第２錠を開錠状態とする第２錠開錠手段と、を有する請求項５に記載の錠装置。
【発明の詳細な説明】
【技術分野】
【０００１】
本発明は、鍵を錠装置に挿入することで施錠又は開錠を行う、錠システム，施錠及び開錠方法，並びに錠装置に関する。
【背景技術】
【０００２】
車両，住宅等の建築物のドアに設けられている錠の１つには、シリンダ錠と呼ばれる錠があり、このシリンダ錠は、鍵とシリンダ錠とが係合することによって開錠する機械式の認証機能を備えるものである。
【０００３】
また、所有者以外の者が不正な操作によって簡単に開錠することを防止するため、電気式の認証機能や電子式の認証機能を組み込んだ錠システムが用いられている。例えば、電気式の認証機能をもつ錠システムは、鍵とシリンダ錠とが電気的に接続することによって開錠するシステムである。また、電子式の認証機能をもつ錠システムは、鍵とシリンダ錠とが係合したときに、鍵に記憶された暗証情報と錠に記憶された暗証情報とを比較し、暗証情報が一致すると開錠するシステムである。
【０００４】
近年では、このような錠システムにおいて、防犯対策の強化が要求されるようになってきている。かかる要求に応えるべく、シリンダ錠に挿入した鍵が施錠位置又は開錠位置まで回転したときに、鍵に内蔵したＩＣタグから認証コードを読み出して、読み出した認証コードとシリンダ錠に記憶されている認証コードとを比較し、認証コードが一致すると施錠又は開錠する錠システムが提案されている。
【先行技術文献】
【特許文献】
【０００５】
【特許文献１】特開２００５−２３２８８１号公報
【特許文献２】特開２００３−５６２２１号公報
【特許文献３】特開２００２−２０６３６０号公報
【特許文献４】特開２００６−１１２１１８号公報
【発明の概要】
【発明が解決しようとする課題】
【０００６】
上述のように、錠システムの防犯性を向上させるためには、高度な暗号機能をもつＩＣタグを鍵に内蔵させる必要がある。しかし、高度な暗号機能をもつＩＣタグは高価であるため、このようなＩＣタグを内蔵した鍵が広く利用されるのは難しい。
【０００７】
そこで、本発明は、かかる事情に鑑みてなされたものであり、ＩＣタグを内蔵した鍵を使用しながらも、高度な暗号機能を有することなく防犯対策を強化できる、錠システム，施錠及び開錠方法，並びに錠装置を提供することを目的とする。
【課題を解決するための手段】
【０００８】
かかる課題を解決するため、本発明の錠システムは、鍵と、鍵によって施錠又は開錠可能に構成される第１錠とを備え、鍵は、鍵値を記憶するとともに、当該鍵と第１錠との係合によって閉回路が形成されたときに読み取り又は書き換えが可能となるＩＣタグを備えており、第１錠は、当該第１錠が開錠状態にあり、かつ、鍵が第１錠と係合した状態で施錠位置にある場合に、新たな鍵値を生成して記憶するとともに、第１錠を施錠状態とする第１錠施錠手段と、生成した鍵値をＩＣタグに書き込むＩＣタグ書込手段と、当該第１錠が施錠状態にあり、かつ、鍵が第１錠と係合した状態で開錠位置にある場合に、ＩＣタグに記憶される鍵値を読み取るＩＣタグ読取手段と、ＩＣタグ読取手段が読み取った鍵値と記憶した鍵値とを比較し、一致する場合に、当該第１錠を開錠状態とする第１錠開錠手段と、を備えることを特徴とする。
【０００９】
また、本発明は、鍵と当該鍵によって施錠又は開錠可能に構成される第１錠とを備える錠システムの施錠及び開錠方法であって、当該第１錠が開錠状態にあり、かつ、鍵が第１錠と係合した状態で施錠位置にある場合に、新たな鍵値を生成して第１錠に記憶するとともに第１錠を施錠状態とする第１錠施錠ステップと、鍵が備えるＩＣタグであって、鍵と第１錠との係合によって閉回路が形成されたときに読み取り又は書き換えが可能となるＩＣタグに、生成した鍵値を書き込むＩＣタグ書込ステップと、当該第１錠が施錠状態にあり、かつ、鍵が第１錠と係合した状態で開錠位置にある場合に、ＩＣタグに記憶される鍵値を読み取るＩＣタグ読取ステップと、ＩＣタグ読取ステップで読み取った鍵値と記憶した鍵値とを比較し、一致する場合に、当該第１錠を開錠状態とする第１錠開錠ステップと、を有する。
【００１０】
さらに、本発明の錠装置では、鍵値を記憶するとともに、鍵によって施錠又は開錠可能に構成される第１錠を備え、第１錠は、当該第１錠が開錠状態にあり、かつ、鍵が第１錠と係合した状態で施錠位置にある場合に、新たな鍵値を生成して記憶するとともに、第１錠を施錠状態とする第１錠施錠手段と、鍵が備えるＩＣタグであって、鍵と第１錠との係合によって閉回路が形成されたときに読み取り又は書き換えが可能となるＩＣタグに、生成した鍵値を書き込むＩＣタグ書込手段と、当該第１錠が施錠状態にあり、かつ、鍵が第１錠と係合した状態で開錠位置にある場合に、ＩＣタグに記憶される鍵値を読み取るＩＣタグ読取手段と、ＩＣタグ読取手段が読み取った鍵値と記憶した鍵値とを比較し、一致する場合に、当該第１錠を開錠状態とする第１錠開錠手段と、を備えることを特徴とする。
【発明の効果】
【００１１】
本発明によれば、ＩＣタグを内蔵した鍵を使用しながらも、高度な暗号機能を有することなく防犯対策を強化することができる。また、複数のシリンダ錠間で鍵値を送受信するため、１つの鍵のみで複数のシリンダ錠を施錠又は開錠できるため、安全性の向上を図ることができる。
【図面の簡単な説明】
【００１２】
【図１】第１実施形態による鍵１の構成を示す概略図である。
【図２】第１実施形態によるシリンダ錠２の構成を示す説明図である。
【図３】施錠プロセスを示すフローチャートである。
【図４】施錠プロセスを示す錠システム３の説明図である。
【図５】開錠プロセスを示すフローチャートである。
【図６】開錠プロセスを示す錠システム３の説明図である。
【図７】第２実施形態による錠システム３Ａの構成を示す説明図である。
【図８】第３実施形態による錠システム３Ｂの構成を示す説明図である。
【図９】第３実施形態による錠システム３Ｂを使用する説明図である。
【図１０】第４実施形態によるタブレット型錠システム３Ｄの構成を示す説明図である。
【発明を実施するための形態】
【００１３】
以下、本発明の実施の形態について、図面を参照して説明する。なお、図面中、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明をその実施の形態のみに限定する趣旨ではない。さらに、本発明は、その要旨を逸脱しない限り、さまざまな変形が可能である。
【００１４】
（第１実施形態）
図１は、鍵１の構成を概略的に示す説明図である。鍵１は、ＩＣタグ部（ＩＣタグ）１１と第１回路構成要素１２，１３，１４とから構成されるものである。
【００１５】
ＩＣタグ部１１は、無線ＩＣチップであり、鍵値などの情報を記憶するメモリ部１５，及びアンテナ（図示せず）を備える構成である。ここで鍵値は、鍵１の認証情報であり、開錠を判断する時にシリンダ錠２（第１錠）が読み取る値である。ＩＣタグ部１１は、アンテナ（無線）を介して後述するシリンダ錠２と鍵１の鍵値などの情報を送受信する。第１回路構成要素１２，１３，１４は、深さの異なる凹部１７（溝）とＩＣタグ部１１とを接続する信号線である。
【００１６】
深さの異なる凹部１７に後述するシリンダ錠２が接触すると、第１回路構成要素１２，１３，１４がシリンダ錠２の第２回路構成要素２１，２２に接続されてＩＣタグ部１１に電力を供給するための閉回路が形成される。すなわち、その鍵１によって開錠可能な錠２に挿入された場合にのみ閉回路が形成される。従って、鍵１とシリンダ錠２とが係合することによって閉回路が形成されない限り、シリンダ錠２はＩＣタグ部１１内のメモリ部１５にアクセスすることができない構成となっている。
【００１７】
図２は、本発明によるシリンダ錠２の構成を示す説明図である。シリンダ錠２は、本実施形態ではピンシリンダタイプであり、鍵１を挿入する鍵穴２７２，固定された外筒２８，及び回転する内筒２７（シリンダ）とから構成されている。鍵穴２７２に鍵１を挿入して内筒を回転させることで、施錠又は開錠する。
【００１８】
シリンダ錠２の内部は、鍵１の凹部１７と係合するタンブラー２７１，第２回路構成要素２１，２２，内筒回転検知部２５，鍵メモリ書き換え部２３，鍵メモリ照合部２４，施錠／開錠装置部２６，アンテナ（図示せず）及びメモリ（図示せず）から構成されている。鍵１側から送信される情報は、シリンダ錠２の内部に設けられたアンテナが受信し、各部２３〜２６に情報を送信する構成である。各部２３〜２６から送信する情報は、シリンダ錠２の内部に設けられたアンテナが送信し、鍵１側のアンテナが受信する構成である。
【００１９】
第２回路構成要素２１，２２は信号線であり、第２回路構成要素２１，２２と任意のタンブラー２７１との接続によって、異なる種類の閉回路を作ることができる。
【００２０】
内筒回転検知部２５では、位置センサが内蔵されており、内筒２７が施錠位置又は開錠位置に回転したことを検知する。内筒回転検知部２５は、鍵メモリ書き換え部２３，鍵メモリ照合部２４，及び施錠／開錠装置部２６と情報を送受信する。
【００２１】
鍵メモリ書き換え部２３では、施錠時又は開錠時に鍵値が新たに生成される。鍵メモリ書き換え部２３は、内筒回転検知部２５，及び鍵メモリ照合部２４と情報を送受信する。
【００２２】
鍵メモリ照合部２４では、照合値記憶部２４１を有し、照合値記憶部２４１に予め記憶された鍵値と鍵１の鍵値とが照合（比較）される。鍵メモリ照合部２４は、鍵メモリ書き換え部２３，内筒回転検知部２５，及び施錠／開錠装置部２６と情報を送受信する。
【００２３】
施錠／開錠装置部２６では、鍵メモリ照合部２４での照合結果に応じて施錠又は開錠が行われる。施錠／開錠装置部２６は、内筒回転検知部２５，及び鍵メモリ照合部２４と情報を送受信する。
【００２４】
このように構成されている錠システム３を用いてシリンダ錠２を施錠する施錠プロセスを、図３に示すフローチャート及び図４に示す説明図を用いて説明する。なお、施錠プロセスを実行するためのプログラムは、シリンダ錠２のメモリに記憶されている。
【００２５】
シリンダ錠２が開錠状態である場合に、鍵１を鍵穴２７２に挿入すると、鍵１とシリンダ錠２とが係合する。このとき鍵１側の第１回路構成要素１２，１３，１４とシリンダ錠２側の第２回路構成要素２１，２２とが接続され、閉回路が形成されると、シリンダ錠２はＩＣタグ部１１のメモリ部１５にアクセスできる状態となる。
【００２６】
このような状態で、鍵１を施錠位置まで回転させると、内筒回転検知部２５は内筒２７が施錠位置まで回転したことを検知する（Ｓ３０）。内筒回転検知部２５は、鍵メモリ書き換え部２３に、ＩＣタグ部１１のメモリ部１５に記憶されている鍵値を書き換えるように指示をする（Ｓ３１）。
【００２７】
この指示を受けた鍵メモリ書き換え部２３は、次回の開錠時に必要な鍵値を推測不能となるように、例えばランダムに生成し（Ｓ３２）、生成した鍵値をＩＣタグ部１１にアンテナ（無線）を介して送信する（Ｓ３３）。ＩＣタグ部１１は、メモリ部１５に記憶されている鍵値から送信された鍵値に書き換える。また、鍵メモリ書き換え部２３は、生成した鍵値を記憶する指示を鍵メモリ照合部２４に送信する。この指示を受け取った鍵メモリ照合部２４は、照合値記憶部２４１に予め記憶された鍵値から送信された鍵値に書き換えて、送信された鍵値を記録（記憶）する（Ｓ３４）。
【００２８】
内筒回転検知部２５は、鍵メモリ書き換え部２３から鍵値の送信完了報告，及び鍵メモリ照合部２４から鍵値の書き換え完了報告を受け取ると、施錠／開錠装置部２６に施錠指示を行う（Ｓ３５）。施錠指示を受け取った施錠／開錠装置部２６は、シリンダ錠２を施錠すると、この施錠プロセスが終了する。
【００２９】
このようにシリンダ錠２が施錠状態である場合に、シリンダ錠２を開錠する開錠プロセスを、図５に示すフローチャート及び図６に示す説明図を用いて説明する。なお、開錠プロセスを実行するためのプログラムは、シリンダ錠２のメモリに記憶されている。
【００３０】
シリンダ錠２が施錠状態である場合に、鍵１を鍵穴２７２に挿入すると、鍵１とシリンダ錠２とが係合する。このとき鍵１側の第１回路構成要素１２，１３，１４とシリンダ錠２側の第２回路構成要素２１，２２とが接続され、閉回路が形成されると、シリンダ錠２はＩＣタグ部１１のメモリ部１５にアクセスできる状態となる。
【００３１】
このような状態で、鍵１を開錠位置まで回転させると、内筒回転検知部２５は内筒２７が開錠位置まで回転したことを検知する（Ｓ４０）。そうすると内筒回転検知部２５は、鍵値を照合する指示を鍵メモリ照合部２４に送信する（Ｓ４１）。この指示を受け取った鍵メモリ照合部２４は、アンテナを介してメモリ部１５に記憶された鍵値の照会指示（問い合わせ指示）をＩＣタグ部１１に送信する（Ｓ４２）。この照会指示を受け取ったＩＣタグ部１１は、メモリ部１５に記憶された鍵値を鍵メモリ照合部２４に送信する（Ｓ４３）。
【００３２】
鍵メモリ照合部２４は、ＩＣタグ部１１から送信された鍵値を受け取ると、受け取った鍵値と照合値記憶部２４１に記録している鍵値とを照合する（Ｓ４４）。そして、受け取った鍵値と照合値記憶部２４１に記録している鍵値とが一致すると（Ｓ４４：一致）、鍵メモリ照合部２４は、施錠／開錠装置部２６に開錠指示を行う（Ｓ４５）。開錠指示を受け取った施錠／開錠装置部２６は、シリンダ錠２を開錠すると、この開錠プロセスが終了する。なお、受け取った鍵値と照合値記憶部２４１に記録している鍵値とが一致しなかった場合には（Ｓ４４：不一致）、シリンダ錠２を開錠することなく、この開錠プロセスが終了する。
【００３３】
このように、本実施形態では、シリンダ錠２の施錠を行うごとに鍵値を変更でき、しかも施錠を行った鍵１でのみ引き続き開錠できる錠システム３のため、システムの安全性を確保することができる。また、高度な暗号機能を有するＩＣタグを使用する必要ことなく防犯対策を強化することができるため、低廉なシステムが実現できる。
【００３４】
（第２実施形態）
図７は、第２実施形態による錠システム３Ａの構成を示す説明図である。本実施形態における鍵１ＡのＩＣタグ部１１は、メモリ部１５のほかに、ＩＤ部１６を備える構成である。ＩＤ部１６には、鍵１Ａごとに固有の識別子（ＩＤ）が記憶されている。また、シリンダ錠２Ａの鍵メモリ照合部２４Ａにある照合値記憶部２４１Ａには、固有の識別子と鍵値とがペアとして、複数のペアが記憶されている。例えば、照合値記憶部２４１Ａには管理テーブルが設けられていて、この管理テーブルで複数のペアを管理してもよい。本実施形態における錠システム３Ａは、複数の鍵１Ａの施錠又は開錠に対応可能であり、ＩＣタグ部１１と鍵メモリ照合部２４Ａの構成を除いて、上述した第１実施形態の錠システム３と同様に構成されている。
【００３５】
このように構成されている錠システム３Ａを用いてシリンダ錠２Ａを施錠する場合には、鍵１Ａを鍵穴２７２に挿入した後、各部が上述したステップＳ３０乃至Ｓ３３を実行する。その後、ＩＣタグ部１１は、鍵メモリ書き換え部２３から送信された鍵値を受け取ると、鍵値の書き換え完了報告，及び固有の識別子を、アンテナ（無線）を介して鍵メモリ照合部２４Ａに送信する。一方で、鍵メモリ書き換え部２３は、生成した鍵値を記憶する指示を鍵メモリ照合部２４Ａに送信する。鍵メモリ照合部２４Ａは、生成した鍵値を記憶する指示及びＩＣタグ部１１から送信された固有の識別子を受け取ると、固有の識別子と一致する固有の識別子を管理テーブルから検索する。鍵メモリ照合部２４Ａは、検索した固有の識別子とペアを組んでいる鍵値を新しく生成した鍵値に書き換えて、生成した鍵値を照合値記憶部２４１Ａに記録（記憶）する（Ｓ３４）。その後、施錠／開錠装置部２６はステップ３５を実行し、施錠プロセスが終了する。
【００３６】
このように施錠されたシリンダ錠２Ａを開錠する場合には、鍵１Ａを鍵穴２７２に挿入した後、各部が上述したステップＳ４０及びＳ４１を実行する。そして、ステップＳ４２において、照会指示を受け取った鍵メモリ照合部２４Ａは、アンテナを介してメモリ部１５に記憶された鍵値及び固有の識別子の照会指示をＩＣタグ部１１に送信する。ステップＳ４３において、この指示を受け取ったＩＣタグ部１１は、メモリ部１５に記憶された鍵値及び固有の識別子を、アンテナを介して鍵メモリ照合部２４Ａに送信する。ステップＳ４４において、受け取った鍵値及び固有の識別子のペアと照合値記憶部２４１Ａに記録している鍵値及び固有の識別子のペアとが一致すると、鍵メモリ照合部２４Ａは、施錠／開錠装置部２６に開錠指示を行う（Ｓ４５）。その後、施錠／開錠装置部２６はステップＳ４６を実行し、開錠プロセスが終了する。
【００３７】
このように、本実施形態では、第１実施形態と同様に施錠したことのある鍵でのみ開錠でき、またシリンダ錠２Ａが鍵値と鍵固有の識別子とをペアで管理しているため、１つのシリンダ錠２Ａに対して複数の鍵１Ａを用いることができる。
【００３８】
（第３実施形態）
図８は、第３実施形態による錠システム３Ｂの構成を示す説明図である。本実施形態では、第１実施形態で説明したシリンダ錠２を少なくとも２つ使用する。第１シリンダ錠２Ｂ（第１錠）の第１鍵メモリ照合部２４Ｂ及び第２シリンダ錠２Ｃ（第２錠）の第２鍵メモリ照合部２４Ｃにはアンテナが内蔵されており、第１鍵メモリ照合部２４Ｂ及び第２鍵メモリ照合部２４Ｃ同士で通信する機能を有する。本実施形態における錠システム３Ｂは、鍵メモリ照合部２４Ｂ，２４Ｃの構成を除いて、上述した第１実施形態の錠システム３と同様に構成されている。
【００３９】
図９は、第３実施形態の錠システム３Ｂを使用する説明図である。例えばエリア０の空間内に、エリア１，エリア１の空間内にエリア２があり、エリア１及びエリア２は壁等で仕切られているものとする。このような場合に、第１シリンダ錠２Ｂは、エリア０とエリア１との間を仕切る扉に設けられており、第２シリンダ錠２Ｃは、エリア１とエリア２との間を仕切る扉に設けられているものとする。
【００４０】
本実施形態では、エリア１の内側から第１シリンダ錠２Ｂを施錠した後に第２シリンダ錠２Ｃを開錠する場合のプロセスを以下に説明する。
【００４１】
まず、第１シリンダ錠２Ｂは、上述のステップＳ３０乃至Ｓ３５を実行して、第１シリンダ錠２Ｂを施錠する。
【００４２】
次に、鍵１を第２シリンダ錠２Ｃの鍵穴に挿入した後、鍵１を開錠位置まで回転させると、第２内筒回転検知部２５Ｃは内筒２７が開錠位置まで回転したことを検知する（Ｓ４０）。そうすると第２内筒回転検知部２５Ｃは、鍵値を照合する指示を第２鍵メモリ照合部２４Ｃに送信する（Ｓ４１）。この指示を受け取った第２鍵メモリ照合部２４Ｃは、アンテナを介してメモリ部１５に記憶された鍵値の照会指示（問い合わせ指示）をＩＣタグ部１１に送信する（Ｓ４２）。この指示を受け取ったＩＣタグ部１１は、メモリ部１５に記憶された鍵値を第２鍵メモリ照合部２４Ｃに送信する（Ｓ４３）。
【００４３】
第２鍵メモリ照合部２４Ｃは、ＩＣタグ部１１から送信された鍵値を受け取ると、第１鍵メモリ照合部２４Ｂに鍵値の照会指示を送信する。第１鍵メモリ照合部２４Ｂは、この照会指示を受け取ると、第１照合値記憶部２４１Ｂから鍵値を読み出し、当該鍵値を第２鍵メモリ照合部２４Ｃに送信する。
【００４４】
第２鍵メモリ照合部２４Ｃは、ＩＣタグ部１１から受け取った鍵値と第１シリンダ錠２Ｂから受け取った鍵値とを照合する（Ｓ４４）。そして、両鍵値が一致すると（Ｓ４４：一致）、第２鍵メモリ照合部２４Ｃは、第２施錠／開錠装置部２６Ｃに開錠指示を行う（Ｓ４５）。開錠指示を受け取った第２施錠／開錠装置部２６Ｃは、第２シリンダ錠２Ｃを開錠すると、この開錠プロセスが終了する。なお、両鍵値が一致しなかった場合には（Ｓ４４：不一致）、第２シリンダ錠２Ｃを開錠することなく、この開錠プロセスが終了する。
【００４５】
なお、第２実施形態のように、鍵１Ａの固有の識別子と鍵値のペアを第１及び第２照合値記憶部２４１Ｃで記録しておき、本実施形態で説明をした第１シリンダ錠２Ｂ及び第２シリンダ錠２Ｃが上述のプロセスを実行してもよい。
【００４６】
本実施形態によれば、第１シリンダ錠２Ｂを施錠した鍵１のみが他のシリンダ錠（第２シリンダ錠２Ｃ）を開錠することができるため、防犯対策を強化することができる。また、２つ目（後）のシリンダ錠を開錠する場合に、１つ目（先）のシリンダ錠が管理する鍵値を受信するため、鍵１を１つしか使用しないにもかかわらず、複数のシリンダ錠の施錠又は開錠ができるとともに、安全性の向上を図ることができる。
【００４７】
（第４実施形態）
図１０は、第４実施形態によるタブレット型錠システム３Ｄの構成を示す説明図である。本実施形態では、第１実施形態で説明したシリンダ錠ではなく、タブレット型錠２Ｄを使用する。また、第１実施形態で説明した鍵１は、タブレット型錠２Ｄの鍵穴２７２Ｄと嵌め合う形状を有したタブレット１Ｄを使用する。
【００４８】
タブレット型錠２Ｄの内部には、嵌め込み検知部２５Ｄを有し、タブレット１Ｄがタブレット型錠２Ｄと嵌め合うと、この嵌め合いを検知する。嵌め込み検知部２５Ｄは、第１実施形態で説明した内筒回転検知部２５がもつ機能に相当する。なお、本実施形態におけるタブレット型錠システム３Ｄでは、開錠位置と施錠位置とが同じ位置であってもよい。
【００４９】
本実施形態におけるタブレット型錠システム３Ｄは、鍵の形状，錠の形状，及び嵌め込み検知部２５Ｄの構成を除いて、上述した第１実施形態の錠システム３と同様に構成されている。タブレット型錠システム３Ｄも、第１実施形態と同様に、施錠プロセスを実行し、及び開錠プロセスを実行する。
【００５０】
このように、本実施形態では、鍵とシリンダ錠に限ることなく、タブレット型錠システム３Ｄにおいても施錠プロセスを実行でき、及び開錠プロセスを実行することができる。
【産業上の利用可能性】
【００５１】
以上説明したとおり、本発明の錠システムは、ＩＣタグ部を鍵に内蔵するだけでなく、シール、カプセル、コイン等に内蔵することができるので、防犯対策を強化する対象に対して広く且つ有効に利用することができる。
【符号の説明】
【００５２】
３，３Ａ，３Ｂ，３Ｄ…錠システム、１，１Ａ…鍵、１Ｄ…タブレット、１１…ＩＣタグ部、１２，１３，１４…第１回路構成要素、１５…メモリ部、１６…ＩＤ部、１７…凹部、２，２Ａ，２Ｂ，２Ｃ…シリンダ錠、２Ｄ…タブレット型錠、２１，２２…第２回路構成要素、２３，２３Ｂ，２３Ｃ…鍵メモリ書き換え部、２４，２４Ｂ，２４Ｃ…鍵メモリ照合部、２４１Ｂ，２４１Ｃ…照合値記憶部、２５…内筒回転検知部、２５Ｄ…嵌め込み検知部、２６，２６Ｂ，２６Ｃ…施錠／開錠装置部、２７２，７２Ｄ…鍵穴、２７…内筒、２７１…タンブラー、２８…外筒。
【図１】
2011021383.tif 000003
【図２】
2011021383.tif 000004
【図３】
2011021383.tif 000005
【図４】
2011021383.tif 000006
【図５】
2011021383.tif 000007
【図６】
2011021383.tif 000008
【図７】
2011021383.tif 000009
【図８】
2011021383.tif 000010
【図９】
2011021383.tif 000011
【図１０】
2011021383.tif 000012